(57)【要約】【課題】  従来のヘッドホーン装置はハウジング内の低域の膨らみ過ぎと高音の伸びすぎが電気信号的にしか解決出来なかった。そのため長時間または必要以上の音量での使用は難聴の原因になるとされてきた。【解決手段】スピーカーユニットからの発音を電気信号的にコントロールするだけではなく、吸音、反射、透過という音の特性の原点からの発想で多孔質セラミックスの吸音効果に着眼。ハウジングとフィルタを多孔質セラミックスから形成し用いた。【選択図】図１
2009077357.tif 000002
【特許請求の範囲】
【請求項１】
ヘッドホーン装置に関して、音源であるスピーカーユニットに多孔質セラミックスから形成した密閉構造あるいは開放構造のハウジングを装着してなるヘッドホーン装置。
【請求項２】
ヘッドホーン装置に関して、前記密閉構造ハウジングあるいは開放構造ハウジングいずれにも適合し装着できる多孔質セラミックスから形成した吸音フィルタを構成してなるヘッドホーン装置。
【請求項３】
請求項１のヘッドホーン装置に関して、ハウジングならびに請求項２の吸音フィルタを併用することで多孔質セラミックスの吸音性と透過性による密閉構造と開放構造二つの性格を持つハウジング。詳しくはスピーカーシステムにおける密閉型・位相反転型に類する特性を備えたヘッドホーン装置。
【請求項４】
請求項１のヘッドホーン装置に関して、ハウジングよりスピーカーユニットを分離し、ハウジングと請求項２の吸音フィルタを併用することから構成したヘッドホーン装置。
【請求項５】
ヘッドホーン装置に関して、請求項２の吸音フィルタを市販されている密閉型・開放型いずれかのヘッドホーンのハウジング内に装着することで、ハウジング内の全周波数帯域の吸音・反射・透過を調整することを可能としたヘッドホーン装置。
【発明の詳細な説明】
【技術分野】
【０００１】  本発明は、多孔質セラミックスから形成させたヘッドホーンハウジング及び、吸音フィルタにより音質を向上させるためのヘッドホーン装置の技術分野に関する。
【背景技術】
【０００２】  ヘッドホーン装置は音の電気信号を可聴音として再生するスピーカーとハウジングより構成されている。その構造は大きく二つに分けられそれぞれの特徴がある。特にハウジングに関して各種の技術が提案されている。例えば発音部分の背面を密閉した密閉型がある。力強い低音再生が望めるが、音がこもるものが多い。また逆に発音部分の背面が開放された開放型がある。高音が良く伸び、音がこもらない反面、低音再生が弱い。ヘッドホーンは一般のスピーカーシステムと違って大きな共鳴箱を持てないために駆動方式の優劣に頼る事となるが、スピーカーの駆動方式の主流がダイナミック型である限り、その性能の優劣を競うには限界があるとされている。ゆえに、音場と音質の改良はハウジングにあると言われているのが現状である。その研究と改良のポイントは吸音・反射・透過性にある。
【発明の開示】
【発明が解決しようとする課題】
【０００３】  ところで、ヘッドホーンを不用意に用いると、一時的または永続的な耳の損傷や難聴を起す恐れがある。楽曲の演奏上不可欠な急激な音圧の上昇が起っても、音量の初期設定に即対処出来ないヘッドホーンでは高周波帯域の障害性音を減衰しないまま聴くことになる。この急激な音響の変化は急性難聴の危険を招く。また習慣的に長時間においてのヘッドホーンでの音楽鑑賞は大きな音に対して耳が順応し、巨大音に対する感受性が低下するため、慢性騒音性難聴の原因になるとされている。難聴の原因は高周波帯域だけでなく、ヘッドホーンの特性である低周波帯域のハウジング内の膨らみ過ぎも見過ごせない。【０００４】  ヘッドホーンの機能とは再生装置や受信機から出力された電気信号を、耳に当接したスピーカーユニットを用いて音波に変換する装置である。本来音楽を楽しむのが目的である。そのために簡単な構造で質量が軽く長く聴いていても疲れないことが望まれている。
よって、低域から中高域まで全帯域のバランスに優れたヘッドホーンを提供する。
【問題を解決するための手段】
【０００５】  本発明は上記事情に鑑みなされたものであり、その解決手段はヘッドホーンを構成するハウジングと吸音フィルタの形成材料である多孔質セラミックスの特徴である高い真気孔率による音の透過性に注目した。
【０００６】  本発明の目的を達成するためのハウジングまたは吸音フィルタを形成する多孔質セラミックスは、その気孔率が１００μｍ以下１０μｍ以上の平均粒径を有し、単独の気孔よりなる球状中空の樹脂粉末が粘土素地１００重量部に対して１重量部以上５０重量部以下添加された生地を可塑成型され１１００度で焼成されたものである。
【０００７】  本発明に関わる単気孔及び連続気孔を有する多孔質セラミックスは寸法精度と強度は低温焼成においても比較的高く、気孔径、気孔率の制御は容易である。その方法は中空樹脂粉末の添加量と焼成温度によってコントロールする。
【０００８】  本発明は上述の多孔質セラミックスによってハウジング及び吸音フィルタを形成することでヘッドホーンが構成されている。その音響上の効果及び特性は細孔貫流特性と振動吸収特性を併せ持ち、ハウジング内部に発生する定在波を抑制する。これは音質の向上に有効な周波数特性と過渡特性に対して顕著な効果を示す。
【発明の効果】
【０００９】  本発明のヘッドホーン装置の特徴は、従来のヘッドホーン装置のハウジングが金属、樹脂、木製から形成されているが、そのいずれもが気密性の高い材質であること。逆に本発明におけるハウジングは気密性のない多孔質セラミックスによって形成されている。それは音波が容易に透過出来る気孔率の高い材質であること。ハウジングの方式には密閉型と開放型がある。これらの方式の特徴は、密閉型では力強い低音を再生でき、高音は良く伸びるが音がこもる傾向がある。気密性があるため他人に迷惑が及ばない。開放型では高音が良く伸び、音がこもらない反面、低音は弱くなる事がある。音漏れが大きいため周囲に配慮する必要がある。
【００１０】  本発明の顕著なる特徴は上記の密閉型、開放型のメリットを併せ持つヘッドホーン装置。従来からヘッドホーン装置はハウジング内において低域の膨らみ過ぎと高域の伸び過ぎが密閉型、開放型を問わず改良の課題とされてきた。その解決策としてはアンプとエコライザーによる電気信号系の技術に始終している。しかしその効果は期待できるが、装置が大層になることからコスト高となるため、一部の高額商品に反映されているに過ぎない。
【００１１】  そこで、簡単な構造で容易に使用でき高品位の音質を提供できるヘッドホーン装置を発明した。その効果は以下である。音源であるスピーカーユニットから発音された音は従来の密閉型、開放型ヘッドホーン装置におけるハウジング内では反射を繰り返し定在波が発生する。その度合いは密閉型に高く音のざわつきとこもり感がある。その理由は音の逃げ場と吸音されないため起る。開放型においても背面は開放されているにも拘らず定在波は発生している。また開放型では外部音が滲入することで音質に悪影響を与えている。
【００１２】  本発明は上述した理由により従来の技術を進化するものである。多孔質セラミックスから形成したハウジングはその吸音特性によってハウジング内の定在波の発生を抑制する。さらに吸音フィルタをハウジングと耳の間に装着することによって開放型における外部音をカットできる。密閉型においても急激な高音域の音圧上昇を抑制できるためヘッドホーン難聴の予防に繋がる。
【発明を実施するための最良の形態】
【００１３】  以下、本発明の実施の形態を図１に基づいて説明する。【００１４】  図においては、１は音源であるスピーカーユニット。２は多孔質セラミック製ハウジング。３は軟素材から成るクッション。４は多孔質セラミックス製吸音フィルタ。【００１５】  以下、上記構成の動作を説明する。スピーカーユニット１から発音された音は、多孔質セラミックス製ハウジング２に放射される。このとき、一部の音波はハウジングの壁に吸音されて熱エネルギーに変換され透過するが、外部から可聴できるレベルではない。さらに大部分の音波はフィルタ４を透過して耳に届く。フィルタ４の役目はハウジング内のノイズを除去することと、急激な音圧上昇から耳を保護することにある。【００１６】  また、フィルタ４を単独で市販のヘッドホーン装置のハウジングに装置することによって従来のヘッドホーンの課題である音質の向上と急激な音圧上昇からも耳を保護できる。
【図面の簡単な説明】
【００１７】
【図１】  本発明の実施形態を示すヘッドホーン装置図
【符号の説明】
【００１８】    １  スピーカーユニット
２  多孔質セラミックス製ハウジング
３  クッション
４  多孔質セラミックス製吸音フィルタ
【図１】
2009077357.tif 000003